(57)【特許請求の範囲】
【請求項１】
基材と、該基材の裏面に離散して形成された撥水コート層と、該撥水コート層を被覆するように前記基材の裏面の略全面に塗工された接着剤層とを有するラベルにおいて、前記接着剤層は主として感熱性接着剤から成り親水性を有するものであると共に、前記撥水コート層は撥水性を有し、該撥水コート層が前記基材の裏面の略全面に該基材の一端側から他端側まで、所定の間隔をおいて平行にストライプ状に形成されるようにコートされて成ることにより、前記間隔が前記ラベルの端部において開放された導水路を形成することを特徴とするラベル。
【請求項２】
基材と、該基材の裏面に離散して形成された撥水コート層と、該撥水コート層を被覆するように前記基材の裏面の略全面に塗工された接着剤層とを有し、前記接着剤層は主として感熱性接着剤から成り親水性を有するものであると共に、前記撥水コート層は撥水性を有し、該撥水コート層が前記基材の裏面の略全面に該基材の一端側から他端側まで、所定の間隔をおいて平行にストライプ状に形成されるようにコートされて成るラベルの使用方法であって、前記接着剤層により被着体に接着されて使用され、使用後は、水に浸け、或いは水で洗浄することにより前記撥水コート層間の前記間隔が前記ラベルの端部において形成する開放された導水路を介して水が前記接着剤層に滲透することで前記被着体から容易に剥がすことを可能にすることを特徴とするラベルの使用方法。
【請求項３】
請求項１に記載のラベルにおいて、前記撥水コート層が前記基材の裏面の面積の４０〜９０％の面積を形成して成ることを特徴とするラベル。
【請求項４】
請求項１又は３に記載のラベルにおいて、該ラベルは矩形状を成し、前記撥水コート層は、該矩形のラベルに対して斜めにコートされることを特徴とするラベル。
【請求項５】
請求項１に記載のラベルにおいて、前記接着剤層は、前記感熱性接着剤に親水性の添加剤を含有させたものから成ることを特徴とするラベル。
【請求項６】
請求項５に記載のラベルにおいて、前記親水性の添加剤の量は、前記感熱性接着剤に対する重量比で１〜４０％を含有させたものであることを特徴とするラベル。
【請求項７】
請求項５又は６に記載のラベルにおいて、前記親水性の添加剤が、親水性顔料であることを特徴とするラベル。
【請求項８】
請求項７に記載のラベルにおいて、前記親水性顔料が、硫酸バリウム、炭酸カルシウム、酸化チタン、シリカゲルから成る群から選択される１種の又は２種以上を混合した顔料であることを特徴とするラベル。
【発明の詳細な説明】
【技術分野】
本発明は、ガラス瓶等の容器に貼って使用されるラベルに関し、特に、使用後に、水に浸け、或いは水で洗浄することにより簡単に容器から剥がすことができるラベルに関する。
【背景技術】
ガラス瓶等の容器、例えば、医薬品、医薬部外品関係のドリンク剤や清涼飲料の容器として用いられる瓶には、製造メーカー等により、商品、成分等を表示したラベルが貼付されている。特に、医薬品、医薬部外品としてのドリンク剤には、薬効成分、効能、用法、用量や商標の他、製造年月日、ロットナンバーや使用期限等を表示したラベルが貼付され、流通過程に送られる。かかるドリンク剤は、従来は、薬店により販売されていたが、最近では、医薬部外品は、栄養ドリンク剤としてコンビニエンスストアやスーパーマーケット等でも販売され、疲れた時に気軽に飲める滋養強壮剤として、より多くの大衆に愛飲されるようになってきている。
従来より、このようなドリンク剤等の瓶に貼付されるラベルは、基材の裏面に加熱で活性化する感熱性接着剤等を塗工したものが用いられ、この感熱性接着剤等で瓶に貼り付けることが行われている。
従来、ビール瓶や清酒の一升瓶等の瓶類、缶、プラスチックボトル等の各種の容器表面に貼付されるラベルとしては、種々のものが開発され、提案されている。
ところで、環境保全、省資源化の観点から、使用後は、製造業者あるいは販売業者が回収し、各種容器を再利用することが図られている。
この場合に各種容器に貼付されるラベルに関しては、これまでに様々な提案がなされている。例えば、（１）接着剤層の表面に被着体とは接着しない、接着阻止剤や被膜を分散形成したもの（実開平２−１４６６８８号公報、実開平６−６４２６６号公報）、（２）感熱性接着剤にある種の熱膨潤剤を添加したもの（特開平７−７７９３９号公報）、（３）ラベル基材と接着剤との間に水溶性の中間層を設けたもの（特開平６−２５９０１６号公報、特開平１１−８５０３４号公報）が挙げられる。
しかしながら、（１）のタイプでは、接着阻止剤や被膜が分散形成されていることから、接着面積の減少を来たし、接着力の低下が生じる。更に、分散形成された層により、端から剥がれ易くなってしまい、また、ラベルに凸凹ができるので、容器の見栄えが損なわれてしまうといった問題が生じる。
（２）のタイプでは、ラベルの剥離に際して８０℃の熱水や水酸化ナトリウム水溶液を必要とすることから使用上の制限があり、特に、家庭において洗浄する場合には、安全面で問題が大きい。
（３）のタイプでは、ラベルの剥離に際して熱水やスチーム等を必要とすることから使用上の制限があり、特に、家庭において洗浄する場合には、安全面で問題が大きい。更に、水溶性の中間層が溶解後にラベル基材が剥離するものの接着剤層が被着体側に残存してしまう懸念が残る。
ドリンク剤の瓶等に貼付されるラベルは、その商品特性上、薬効成分、効能、用法、用量等の情報を消費者に対して開示する機能を持つことから、流通過程で物理的な力が作用しても剥がれず、また、ドリンク剤が薬店やコンビニエンスストア等で冷蔵ショーケース内に保管・陳列され、或いは購入者の家庭の冷蔵庫等に保管されることが多いため、冷蔵庫等内で結露等の水分が付着しても剥がれないようにする必要がある。このため、上記のようなラベルでは、瓶等との接着性や保持力が最も重要である。
しかしながら、最近では、環境問題の観点から、多くの自治体並びに廃棄物回収業者により、そのゴミ規制の一環として、使用後のドリンク剤の瓶等をリサイクル資源として出す際に、その瓶等とラベルを分別して出すことが求められるようになった。従って、ドリンク剤の瓶等からそのラベルを家庭内で剥がすことが必要となったが、従来のラベルは、瓶等から手指で剥がそうとしても容易には剥がれず、これを剥がすためには、水で洗浄しながらタワシ等でこする等、大変な手間がかかった。
従って、かかる家庭ゴミの分別という観点から、例えば、家庭内等でも、水に浸け、或いは水で洗浄することにより簡単にドリンク剤の瓶等から剥がすことができるラベルの開発が望まれている。
尚、従来から知られている、デンプン糊等を使用した非感熱ラベルを貼着したドリンク剤では、比較的ラベルを剥がし易い。しかし、この場合、薬店やコンビニエンスストア等の冷蔵ショーケース内での保管・陳列時等において、結露等の水分によりラベルのずれやはがれ、破れ等を生じることもあった。このことは、前述したドリンク剤の商品特性を考えた場合、極めて重大な問題となっている。
本発明の目的は、流通過程での物理的な力が加わり、或いは冷蔵庫等内で結露等の水分が付着しても瓶等の容器から剥がれない接着性乃至保持力を備え、その表示機能を十分に果たす一方、使用後は、水に浸け、或いは水で洗浄することにより簡単に剥がすことができる易剥離性をも備えたラベルを提供することにある。
【発明の開示】
そこで、本発明者は、かかる課題を克服すべく鋭意研究を重ねた結果、ラベルの基材の裏面に撥水コート層を離散して形成し、この撥水コート層を被覆するように前記基材の裏面の略全面に接着剤を塗工したラベルを用いることにより、十分な接着性乃至保持力を有する上に、水に浸け、或いは水で洗浄することにより、撥水コート層の形成する導水路を介して水を接着剤層に滲透させることで容易に剥がすことが可能なラベルを発明するに至った。
本発明において、「基材」とは、紙などで形成されるラベル本体部分をいい、その表面に上述した薬効成分、効能、用法、用量、商標、製造年月日、ロットナンバー、使用期限等が印刷等されるものである。紙、蒸着紙、及びＰＥ（ポリエチレン）、ＰＰ（ポリプロピレン）、ＰＥＴ（ポリエチレンテレフタレート）、塩化ビニル、セロハン等のプラスチックフィルムや合成紙、及びそれらの複合紙も使用可能であり、その材質は問わない。
「撥水コート層」とは、「基材」の裏面の略全面に離散してコートされる層であり、好適には撥水性を有し、ラベルの端部において開放された導水路を形成し、いわば、「基材」の裏面の略全面に亘って水が通る道を作るための層である。また、「基材」が紙の場合には、ラベルを水につけると材質が弱くなるので、ラベルを補強して、ラベルが一体的に剥がれるようにする機能も有している。その材料は、例えば、アクリル系、ウレタン系、マレイン酸系、スチレン系の樹脂やこれらの共重合体から成る樹脂等が使用可能である。特に、スチレン−アクリル系樹脂が好適である。基材の面積に対し、４０〜９０％程度の面積を占めるように形成するのが好適であり、６０〜８０％程度の面積であればより好ましい。また、その厚みは５〜１２μｍ程度が望ましい。
「接着剤層」とは、「基材」及び「撥水コート層」を、瓶等の被着体に接着するものであり、親水性を有する樹脂等から形成する感熱性接着剤が好適である。この感熱性接着剤としては、ジシクロヘキシルフタレート（ＤＣＨＰ）等の結晶性可塑剤と、スチレン系樹脂、スチレンブタジエン系樹脂、アクリル系樹脂、ロジン系樹脂等の粘着付与剤とを主成分とし、滑剤や安定剤等を添加して調製したもの、例えば、特公昭６２−２１８３５号公報や特開平１−９６２７４号公報等で提供されている任意のものを使用することができる。
そして本発明では、この感熱性接着剤に親水性の添加剤を分散させて使用するものである。この親水性の添加剤としては、親水性顔料を用いることができる。親水性顔料としては、硫酸バリウム、炭酸カルシウム、酸化チタン、シリカゲル等の無機顔料が挙げられ、中でも硫酸バリウムと炭酸カルシウムが好適である。これらの１種から成る顔料を用いても良いし、２種以上を混合した顔料を用いても良い。添加剤の量は、使用する添加剤と感熱性接着剤との組合せにより適宜増減することができるが、感熱性接着剤に対する重量比で１〜４０％が好適であり、１〜２０％がより好ましい。
また、「水」とは、単に水道水にとどまらず、石鹸水、アルカリ溶液（水）等の他、雨水でも良いし、冷水、温水乃至は水を沸かした湯等の熱水等も含む意味である。
しかして、本発明の請求項１記載のラベルは、基材と、該基材の裏面に離散して形成された撥水コート層と、該撥水コート層を被覆するように前記基材の裏面の略全面に塗工された接着剤層とを有するラベルにおいて、前記接着剤層は主として感熱性接着剤から成り親水性を有するものであると共に、前記撥水コート層は撥水性を有し、該撥水コート層が前記基材の裏面の略全面に該基材の一端側から他端側まで、所定の間隔をおいて平行にストライプ状に形成されるようにコートされて成ることにより、前記間隔が前記ラベルの端部において開放された導水路を形成することを特徴とする。
また、請求項２記載のラベルの使用方法は、基材と、該基材の裏面に離散して形成された撥水コート層と、該撥水コート層を被覆するように前記基材の裏面の略全面に塗工された接着剤層とを有し、前記接着剤層は主として感熱性接着剤から成り親水性を有するものであると共に、前記撥水コート層は撥水性を有し、該撥水コート層が前記基材の裏面の略全面に該基材の一端側から他端側まで、所定の間隔をおいて平行にストライプ状に形成されるようにコートされて成るラベルの使用方法であって、前記接着剤層により被着体に接着されて使用され、使用後は、水に浸け、或いは水で洗浄することにより前記撥水コート層間の前記間隔が前記ラベルの端部において形成する開放された導水路を介して水が前記接着剤層に滲透することで前記被着体から容易に剥がすことを可能にすることを特徴とする。
更に、請求項３記載のラベルにおいては、前記撥水コート層が前記基材の裏面の面積の４０〜９０％の面積を形成して成ることを特徴とする。
更に、請求項４に記載のラベルにおいては、該ラベルは矩形状を成し、前記撥水コート層は、該矩形のラベルに対して斜めにコートされることを特徴とする。
また、請求項５に記載のラベルにおいては、前記接着剤層は、前記感熱性接着剤に親水性の添加剤を含有させたものから成ることを特徴とする。
更に、請求項６に記載のラベルにおいては、前記親水性の添加剤の量は、前記感熱性接着剤に対する重量比で１〜４０％を含有させたものであることを特徴とする。
ここで、請求項７に記載のラベルにおいては、前記親水性の添加剤が、親水性顔料であることを特徴とする。
また、請求項８に記載のラベルにおいては、前記親水性顔料が、硫酸バリウム、炭酸カルシウム、酸化チタン、シリカゲルから成る群から選択される１種の又は２種以上を混合した顔料であることを特徴とする。
【発明を実施するための形態】
本実施形態のラベルは、図１（ａ）及び（ｂ）に示すように、基材１と、基材１の裏面の略全面に離散して形成された撥水コート層３と、撥水コート層３を被覆するように基材１の裏面の略全面に塗工された接着剤層５とを有する。基材１は、本実施形態では、紙で矩形状に形成され、その表面にドリンク剤の薬効成分、効能、用法、用量、商標、デザイン、製造年月日、ロットナンバー、使用期限等が印刷される。
撥水コート層３は、撥水性の材料から成り、基材１の裏面の略全面に亘ってコートされる。本実施形態では、矩形の基材１に対して斜めに多数の縞（ストライプ）状にコートされている。尚、撥水コート層３は、ラベル（基材１）の縦横の端部において開放されている。これは、基材１の裏面の略全面に亘って水が通る道（導水路）を作るためである。また、本実施形態では、撥水コート層３は、７μｍの厚さになるように形成した。
接着剤層５は、基材１及び撥水コート層３を瓶（図示せず）に接着するものであり、本実施形態では、親水性を有する材料から成る感熱性接着剤を用いた。
この感熱性接着剤としては、結晶性可塑剤とアクリル系、スチレンブタジエンゴム系、エチレン酢酸ビニール系等の樹脂が用いられる。
尚、接着剤層５には、図示はしないが、親水性の添加剤として、親水性顔料を分散させている。これは、撥水コート層３を介して接着剤層５に水が滲透した場合に、この添加剤が水を吸着することで、接着剤層５により多量の水が保持され、更には、接着剤層５の膨潤によって瓶等との接着面積を低下させ、剥がれやすくするためである。
次に、本実施形態のラベルの使用方法を、図２を参照して説明する。
さて、本実施形態のラベルを製作するには、基材１の裏面に、その面積の、例えば、４０〜９０％に形成されるように、撥水性の材料であるアクリル系、ウレタン系、マレイン酸系等の樹脂を基材１の裏面の略全面に亘って斜線状にパターン塗工して撥水コート層３を形成する。次に、基材１の裏面に撥水コート層３の上から、親水性の材料から成り、親水性の顔料を分散させた感熱性接着剤を、例えば８〜１３ｇ／ｍ２塗布して接着剤層５を形成すれば良い。
このラベルは、例えば、ドリンク剤のメーカーの感熱ラベラー（感熱ラベリング機）により、加熱により接着剤層５を活性化させた状態で、多数の瓶に接着され、ドリンク剤を充填した当該瓶に貼付された状態で流通過程に送られる。
本実施形態のラベルは、この流通過程において、例えば、人の指等により瓶の上下左右方向に向って物理的な力が加わっても、接着剤層５が略全面に形成されているので、当該瓶から剥がれにくい。また、例えば、薬店やコンビニエンスストアで冷蔵ショーケース内に保管・陳列された場合に、冷蔵ショーケース内で結露等の水分（水滴）が付着しても、その水分（水滴）程度では、撥水コート層３の形成する導水路を介して基材１の裏面の略全面に亘って水が滲透することはないので、ラベルがずれたり、剥がれるようなことにはならない。
一方、ドリンク剤等を飲み終えた購入者等が、容器の瓶をゴミとして出す場合には、単に、ラベルが付いたまま容器の瓶を、例えば、水道水に３０分間程度ドブ漬けした後、或いは水道水をラベルの上からかけながら、手指等でラベル表面をこするように押し上げる等すれば良い。水道水にドブ漬けし、或いは水道水がラベルの上からかけられることで、水道水はラベルと瓶との接着面から、斜線状に形成された撥水コート層３の形成する導水路を介して、基材１の裏面の略全面に亘って親水性の接着剤層５に滲透する。これにより、接着剤層５の接着力が低下し、図２に示すように、接着剤層５は、撥水コート層３と共に瓶７の表面から剥離する。このようにして、ラベルを容器の瓶から簡単に剥がすことができる。尚、本実施形態では、接着剤層５には親水性の顔料を分散させているので、水の滲透がより促進される結果、瓶７との接着面積が低下するので、より剥がれやすくなる。即ち、上述したように、この親水性の顔料が水を吸着することで、接着剤層５により多量の水が保持され、更には、接着剤層５の膨潤によって瓶７との接着面積が低下するので、より剥がれやすくなる。
尚、本発明のラベルは、撥水コート層、感熱性接着剤層、親水性添加剤の材質や含量を適宜選択することにより、その剥離時間をコントロールすることが可能となる。
以上、本発明を特定の実施形態について述べたが、本発明はこれらに限られるものではなく、特許請求の範囲に記載された発明の範囲内で、他の実施形態についても適用される。
例えば、本発明のラベルは、使用後回収して再使用することのない、いわゆるワンウェー瓶と回収瓶（リターナブル瓶）のいずれにも利用可能である。
また、上述した実施形態では、撥水コート層３を、矩形の基材１に対して斜めに多数の縞状にコートして形成したが、斜めでなく、縦又は横方向の縞状に形成しても良いし、基材１の裏面の領域の、例えば、４０〜９０％を占めるように、その略全面に亘って、網状、格子状、又は離散した散点状に形成することも考えられる。
更に、上述した実施形態では、ドリンク剤の瓶容器に付される場合について述べたが、他の瓶容器は勿論、ガラス以外の、例えば、ＰＥ（ポリエチレン）、ＰＰ（ポリプロピレン）、ＰＥＴ（ポリエチレンテレフタレート）等の合成樹脂製の容器にも適用でき、更に、内部に何かを収納する容器でない、フロッピーディスク、ＩＣカード、コンパクトディスク、ビデオフィルム、コンテナ等をはじめとして、自動車、電車、飛行機等の輸送機といった単なる被着体でも良い。また、本発明は、ラベル以外のステッカー、シール、ワッペン等にも適用し得るものである。
［実施例］
次に、本発明を実施例によって例証する。
［実施例１］
片面アート紙をラベル基材として、その表面にグラビア印刷及びニス塗工を行った後、その裏面に、撥水コート層の面積がラベル基材裏面の面積の７０％を占めるように、１．２ｍｍ間隔で２．８ｍｍ幅の縞状に撥水コート塗工を行った（サカタインクス株式会社製ブライトーンＦＣ−１０２）。
次に、感熱性接着剤（大日本インキ化学工業株式会社製ディックシール）に親水性顔料（硫酸バリウム）を５重量％添加し、十分に攪拌混合した。この感熱性接着剤をラベル基材の裏面に塗工機で９ｇ／ｍ２の塗工量で塗工して、ラベルを作製した。
［実施例２〜２５］
本発明の実施例２〜２５を表１に示す。
撥水コート層の面積、添加剤の組成及び添加量を変化させて、実施例１に従って、本発明のラベルを作製した。
【表１】
0004895456.tif 000002
［試験例］
上記のようにして作製したラベルを、光洋自動機株式会社製の熱風ブロアー式の感熱性接着剤用ラベラーを用い、５００本／分の速度でドリンク剤のガラス瓶に貼り付けた。
このようにラベルを貼ったガラス瓶のうち一部のものを冷蔵（４℃）、室温、及び４０℃の各条件下で２週間保管したところ、ラベルのずれや剥がれは何ら認められず良好な接着状態を維持していて、ラベルとして実用的であることが確認された。
次に、水浸漬時のラベルの剥離性を試験した。冷蔵、室温、及び４０℃の各条件下で２週間保管したラベルを貼ったガラス瓶を２６℃の水道水に浸漬した。浸漬後、３０分経過の時点でラベルの端部が自然剥離していた。更に、手指により、ラベルを抵抗感無く、きれいに剥がすことができた。
以上より、本発明のラベルが実用的であることが確認された。
【産業上の利用可能性】
以上説明したように、本発明によれば、ラベルの基材の裏面に撥水コート層を離散して形成し、この撥水コート層を被覆するように前記基材の裏面の略全面に感熱性接着剤を塗工したラベルを用いることにより、十分な接着性乃至保持力を有する上に、水に浸け、或いは水で洗浄することにより、撥水コート層の形成する導水路を介して水を接着剤層に滲透させることで容易に剥がすことが可能となった。また、本発明のラベルは、撥水コート層の塗工形態に拘らず、平坦であって凸凹がないので、貼付された瓶等の容器やその他の被着体の意匠面を確保する。
従って、例えば、家庭内で、瓶等の容器からラベルを剥がす場合でも、特別な溶液や洗浄方法を用いることなく、簡単に剥がせるので、有益である。また、ゴミの分別問題の解決の一助ともなり、その産業的意義は大きい。
【図面の簡単な説明】
図１は、本発明の一実施形態に係るラベルの構成を表す図であり、（ａ）は、その裏面から見た図、（ｂ）は、その断面図であり、図２は、図１に示したラベルの使用方法、特に、その瓶からの剥がれ方を説明するための図である。
【図１】
0004895456.tif 000003
【図２】
0004895456.tif 000004